(57)【要約】【課題】簡易な構造で、高さ幅がタイヤに合わせて切り替え可能で、２種類のタイヤの双方の搭載が簡単かつ確実に行える予備タイヤ取付具を提供する。【解決手段】床１０２の下面に設けられ、タイヤの外周を保持する外枠体１２と、タイヤを下方から支持するタイヤ支持部１４とを備え、タイヤ支持部１４は、タイヤの下面に当接する受け部材５４と、両端部が外枠体１２に揺動可能に連結される可動アーム部材５０、５２とを備えている。又、受け部材５４は、可動アーム部材５０、５２の揺動位置に応じて変位され、床１０２の下面との間隔が２種類のタイヤの一方のタイヤのタイヤ幅に対応した間隔とされる第１の状態と、第１の状態より下方に位置して、床１０２の下面との間隔が一方のタイヤよりタイヤ幅の広い他方のタイヤのタイヤ幅に対応した間隔とされる第２の状態とに設定可能として予備タイヤ取付具１０を構成した。【選択図】図１
2013035372.tif 000002
【特許請求の範囲】
【請求項１】
タイヤ幅の異なる２種類のタイヤを選択的に車両の床下に横置きで取り付ける予備タイヤ取付具であって、
前記床下に設けられ、前記タイヤの外周を保持する外枠体と、該外枠体に連結され、前記タイヤを該タイヤの下方から支持するタイヤ支持部とを備え、
前記タイヤ支持部は、前記タイヤの下面に当接する受け部材と、前記受け部材に回動可能に連結されるとともに、その両端部が前記外枠部に揺動可能に連結される可動アーム部材とを備え、
前記受け部材は、前記可動アーム部材の揺動位置に応じて変位し、前記受け部材と前記床下との間隔が、前記２種類のタイヤの一方のタイヤのタイヤ幅に対応した間隔となる第１の状態と、前記受け部材が前記第１の状態より下方に位置し、前記受け部材と前記床下との間隔が前記一方のタイヤよりタイヤ幅の広い他方のタイヤのタイヤ幅に対応した間隔となる第２の状態とに設定可能に形成されていることを特徴とする予備タイヤ取付具。
【請求項２】
前記受け部材は、前記可動アーム部材が一方の揺動方向終端位置にあるときに前記第１の状態となり、前記可動アーム部材が他方の揺動方向終端位置にあるときに前記第２の状態となり、
前記第１の状態では、前記可動アーム部の一部が前記外枠体の上面に支持され、前記第２の状態では、前記可動アーム部が下方に垂下された状態で前記受け部材が最も低い位置に配置されることを特徴とする請求項１に記載の予備タイヤ取付具。
【請求項３】
前記２種類のタイヤは、一方が非常用タイヤで他方が前記非常用タイヤよりタイヤ幅の広い標準タイヤであり、前記第１の状態は前記非常用タイヤが搭載可能な状態で、前記第２の状態は前記標準タイヤが搭載可能な状態であることを特徴とする請求項１又は２に記載の予備タイヤ取付具。
【発明の詳細な説明】
【技術分野】
【０００１】
本発明は、標準タイヤと標準タイヤよりタイヤ幅の狭い非常用タイヤの２種類のタイヤを選択的に取り付けることができる車両用の予備タイヤ取付具に関する。
【背景技術】
【０００２】
車両には、タイヤがパンクした場合に対応するため、予備タイヤ、あるいはパンク修理道具が搭載されている。予備タイヤは、通常トランク底部に形成された凹部内に収納したり、後部床下や後部ドアに設けられた予備タイヤ取付具に固定したりしている。例えば、車両後部の床下に予備タイヤを取り付けるタイプでは、下方から予備タイヤを支えるようにした、いわゆるかご型の予備タイヤ取付具が用いられていた。
【０００３】
従来より、予備タイヤとしては、車両に装着されている標準タイヤよりタイヤ幅の狭い小型の非常用タイヤを搭載するものが多く、予備タイヤ取付具も非常用タイヤのサイズに合わせた大きさとされているのが一般的であった。この理由としては、予備タイヤ取付具が小型化できるので、軽量化や車両後方からの見栄えの点で有利となるという点があげられる。
【０００４】
ところが、予備タイヤ取付具を非常用タイヤのサイズに合わせると、標準タイヤを予備タイヤ取付具に搭載することができず、パンク等で標準タイヤを非常用タイヤに交換した場合、取り外した標準タイヤをトランクルーム等の荷室に搭載するしかなかった。
【０００５】
そのため、予備タイヤ取付具に、いずれのタイヤでも搭載できるようにするため、予備タイヤ取付具を標準タイヤのサイズに合わせた大きさとしておき、車体下面に非常用タイヤにのみ当接する当接部を設けたり（例えば、特許文献１参照。）、標準タイヤと非常用タイヤのタイヤ幅の差に相当するパッドを用いたり（例えば、特許文献２参照。）、回転によりハンガー枠を上下動させて、タイヤ幅の差を調整可能に構成した（例えば、特許文献３参照。）発明が知られている。
【先行技術文献】
【特許文献】
【０００６】
【特許文献１】特開昭６１−１２２９８７号公報
【特許文献２】特開平１−８５１９２号公報
【特許文献３】特開平９−１５６５４４号公報
【発明の概要】
【発明が解決しようとする課題】
【０００７】
しかしながら、上記従来の予備タイヤ取付具の構造では、次のような問題点があげられる。
【０００８】
例えば、特許文献１では、タイヤの上下の向きを間違えて搭載するとタイヤを確実に保持できない虞がある。また、特許文献２のようにパッドを用いるタイプの場合、標準タイヤを搭載させる際には、予備タイヤ取付具から外したパッドを別途保管しなければならないという問題がある。また、特許文献３では、非常用タイヤを搭載させる際には、実質、回動ハンガー枠部材だけで非常用タイヤを支持することになるため、タイヤ搭載時に非常用タイヤを安定した状態で搭載できず、作業に手間がかかったり、非常用タイヤの保持が不安定になる虞が考えられる。
【０００９】
さらに、これら従来の構造では、タイヤ幅の狭い非常用タイヤを搭載していても、予備タイヤ取付具を非常用タイヤに合わせて小型化することができないため、予備タイヤ取付具の高さ方向の大きさ（幅）は標準タイヤに合わせた大きさのままであり、車両後方からの見栄えの点でも改善の余地があった。
【００１０】
そこで本発明は、簡易な構造で、タイヤ幅の異なる２種類のタイヤのタイヤ幅に合わせて高さ幅の切り替えができ、標準タイヤと標準タイヤよりタイヤ幅の狭い非常用タイヤの双方を簡単かつ確実に搭載可能とした予備タイヤ取付具を提供することを目的とする。
【課題を解決するための手段】
【００１１】
前記課題を解決し、目的を達成するため、本発明の予備タイヤ取付具は次のように構成されている。
【００１２】
タイヤ幅の異なる２種類のタイヤを選択的に車両の床下に横置きで取り付ける予備タイヤ取付具であって、床下に設けられ、タイヤの外周を保持する外枠体と、外枠体に連結され、タイヤをタイヤの下方から支持するタイヤ支持部とを備え、更にタイヤ支持部は、タイヤの下面に当接する受け部材と、受け部材に回動可能に連結されるとともに、その両端部が外枠部に揺動可能に連結される可動アーム部材とを備え、受け部材は、可動アーム部材の揺動位置に応じて変位し、受け部材と床下との間隔が、２種類のタイヤの一方のタイヤのタイヤ幅に対応した間隔となる第１の状態と、受け部材が第１の状態より下方に位置し、受け部材と床下との間隔が一方のタイヤよりタイヤ幅の広い他方のタイヤのタイヤ幅に対応した間隔となる第２の状態とに設定可能に形成されている。
【発明の効果】
【００１３】
本発明によれば、簡易な構造で、タイヤ幅の異なる２種類のタイヤのタイヤ幅に合わせて高さ幅の切り替えができ、標準タイヤと標準タイヤよりタイヤ幅の狭い非常用タイヤの双方を簡単かつ確実に搭載することができる。
【図面の簡単な説明】
【００１４】
【図１】本発明の一実施形態にかかる予備タイヤ取付具を備えた車両を示す斜視図。
【図２】同予備タイヤ取付具を示す平面図。
【図３】同予備タイヤ取付具の第１の状態を示す斜視図。
【図４】同予備タイヤ取付具の第１の状態を示す側面図。
【図５】同予備タイヤ取付具の第２の状態を示す斜視図。
【図６】同予備タイヤ取付具の第２の状態を示す側面図。
【図７】非常用タイヤを下ろした状態の同予備タイヤ取付具を示す側面図。
【発明を実施するための形態】
【００１５】
図１は、本発明の一実施形態にかかる予備タイヤ取付具１０を備えた車両１００を示す斜視図、図２は、予備タイヤ取付具１０を示す平面図である。車両１００は、前後左右に通常走行用の標準タイヤ１０４を装着し、後部の標準タイヤ１０４の間に予備タイヤ取付具１０を備えている。
【００１６】
予備タイヤ取付具１０は、図１に示すように車両１００の後部の床１０２（図４参照）の下部に取り付けられ、図４に示すように予備タイヤ取付具１０には、予備タイヤとして非常用タイヤ１１０が横置きに搭載されている。
【００１７】
図３と図４は、予備タイヤ取付具１０の第１の状態を示す斜視図と側面図である。図１は、車両１００を後方から示しており、以下、車両１００の前進方向を前方とし、それを基準に前後左右を定め、重力の方向を下方、その逆を上方として説明する。
【００１８】
予備タイヤ取付具１０は、図２に示すように外枠体１２と、外枠体１２に取り付けられたタイヤ支持部１４と、外枠体１２を支持する支持体１６とを備え、予備タイヤとして、通常時の走行に用いられる標準タイヤ１０４と、標準タイヤ１０４よりタイヤ幅の狭い（細い）非常用タイヤ１１０の２種類のタイヤのどちらか一方を選択的に搭載することができるよう構成されている。図５と図６は、標準タイヤ１０４を搭載する予備タイヤ取付具１０の第２の状態を示す斜視図と側面図である。
【００１９】
外枠体１２は、図２に示すように前部の一面を切り欠いたほぼ八角形状で、標準タイヤ１０４を内側に収納できる大きさを有している。外枠体１２は、例えばパイプ状部材を屈曲させて形成してあり、外枠体１２の前端から左右外方にそれぞれ延びる前傾斜部２２と、それぞれの前傾斜部２２の後端に接続し、前後方向にほぼ平行に延びる平行部２４と、それぞれの平行部２４の後端から左右内方に延びる後傾斜部２６と、左右の後傾斜部２６の後端を連結させる最後端部２８とを備えている。又、外枠体１２は、図３及び図４に示すように側面視で上下方向に適宜屈曲させてあり、標準タイヤ１０４を外周側から保持するに適する適当な高さ幅を有している。
【００２０】
外枠体１２の前方には、取付部１８が左右にそれぞれ設けられている。取付部１８は、棒状部材からなり、一端が前傾斜部２２に固定され、前傾斜部２２から図３に示すように外枠体１２の外方斜め下方に延び、そして下端で外枠体１２の後方に延び、上方に屈曲して平行部２４に固定されている。
【００２１】
取付部１８の下端は、図４に示すように外枠体１２の後傾斜部２６とほぼ同一の高さに形成されている。最後端部２８は、図３に示すように上下に適度に屈曲し、下段部に握り部３０を備え、上段部に後述する固定具４０を掛ける掛け部３２が形成されている。
【００２２】
外枠体１２の前端は、支持体１６の下端に回動自在に取り付けられている。支持体１６は、下方に開口を有する概ねコの字形状で、床１０２の下面に車両１００の幅方向に沿って取り付けられている。なお、支持体１６は、支持体１６の下端側を、床１０２に前後方向に回動可能に取り付けてもよい。
【００２３】
外枠体１２の側方には、案内部材３４が取り付けられている。案内部材３４は、車両１００の前後方向に延び、前端が外枠体１２の平行部２４に回動自在に取り付けられており、後端が取付具１０６を介して床１０２に、上下方向に回動自在に取り付けられている。
【００２４】
外枠体１２の後方には、固定具４０が設けられている。固定具４０は、鉤状部４２とねじ部４４を備え、鉤状部４２の上部にねじ部４４が螺合している。固定具４０は、鉤状部４２が床１０２に上下動自在に取り付けられており、鉤状部４２に外枠体１２の掛け部３２を掛け、ねじ部４４を締め込むと、外枠体１２の後方が引き上げられる。逆に、ねじ部４４を緩めると、鉤状部４２が下がり、外枠体１２の後方が引き下げられるとともに鉤状部４２を更に下げると、鉤状部４２を掛け部３２から取り外せる。
【００２５】
タイヤ支持部１４は、前後２本の前方可動アーム部材５０及び後方可動アーム部材５２と、前方可動アーム部材５０と後方可動アーム部材５２のそれぞれに回動可能に連結された受け部材５４とを備えている。前方可動アーム部材５０と後方可動アーム部材５２は、連結機構を兼ねており、それぞれ胴部５６と胴部５６の両端に形成された腕部５８とから、平面視で概ねコの字状に形成されている。前方可動アーム部材５０と後方可動アーム部材５２は、前方可動アーム部材５０を後方可動アーム部材５２の前方に配置して、外枠体１２に前後に、かつ平行に設けられている。
【００２６】
前方可動アーム部材５０は、前方可動アーム部材５０の両端に設けられた腕部５８の端部が左右それぞれの取付部１８に回動自在に取り付けてあり、腕部５８の取付点を中心として胴部５６が前後方向に回動可能となっている。腕部５８は、前述した標準タイヤ１０４のタイヤ幅と非常用タイヤ１１０のタイヤ幅とのタイヤ幅の差にほぼ等しい長さを有し、車両１００の前後方向に沿った垂直面内で回動自在となっている。
【００２７】
又、腕部５８は、腕部５８の取付点を中心として前方可動アーム部材５０を回転させたとき、外枠体１２と支持体１６と左右に設けられた取付部１８との間を、受け部材５４、腕部５８、および胴部５６等がそれらに接触することなく通過可能に形成されている。更に、前方可動アーム部材５０は、図５、図６に示すように受け部材５４を取付部１８から腕部５８により垂下させた状態（第２の状態）と、第２の状態から受け部材５４を前方を通して、ほぼ３/４回転回動させ、図３、図４に示すように前方可動アーム部材５０の一部を取り付け部１８の上面に載せた状態（第１の状態）とに移動可能とされている。
【００２８】
後方可動アーム部材５２は、腕部５８の一端が外枠体１２の平行部２４に回動自在に取り付けられ、前方可動アーム部材５０と同様、胴部５６が前後方向に回動可能に設けられている。又、腕部５８は、前述したと同様標準タイヤ１０４のタイヤ幅と非常用タイヤ１１０のタイヤ幅とのタイヤ幅の差にほぼ等しい長さを有し、車両１００の前後方向に沿った垂直面内で回動自在となっている。
【００２９】
更に後方可動アーム部材５２は、前方可動アーム部材５０同様、受け部材５４を平行部２４から腕部５８により垂下させた状態（第２の状態）と、第２の状態から受け部材５４を前方を通して、ほぼ３/４回転回動させ、後方可動アーム部材５２の一部を後傾斜部２６の上面に載せた状態（第１の状態）とに移動可能とされている。
【００３０】
又、前方可動アーム部材５０と後方可動アーム部材５２の各腕部５８は、取付点が同一平面内に配置してあり、かつ各腕部５８の取付点を中心とした胴部５６の回転半径が同一の値に形成されている。
【００３１】
受け部材５４は、概ねコの字状に形成された棒状部材であり、前方可動アーム部材５０及び後方可動アーム部材５２のそれぞれと直交し、かつそれらの胴部５６に対して回動自在に連結されている。更に、受け部材５４は、前方可動アーム部材５０と後方可動アーム部材５２のそれぞれの腕部５８が同一の角度で回動するように、前方可動アーム部材５０と後方可動アーム部材５２に連結されている。
【００３２】
これにより受け部材５４は、上述した第１の状態、つまり図３、図４に示すように前方可動アーム部材５０及び後方可動アーム部材５２が取付部１８や外枠体１２の上面に載ったときの状態と、第２の状態、つまり図５、図６に示すように腕部５８が下がったときの状態のいずれかの状態に、腕部５８の回動を介して、前方可動アーム部材５０及び後方可動アーム部材５２が平行を保持したまま設定される。
【００３３】
更に、腕部５８の取付点と胴部５６との間の距離が、前述したように標準タイヤ１０４のタイヤ幅と非常用タイヤ１１０のタイヤ幅とのタイヤ幅の差に等しく形成されているため、受け部材５４が第１の状態にあるときは、受け部材５４と床１０２との間隔が非常用タイヤ１１０のタイヤ幅に等しく設定され、腕部５８を回動して受け部材５４が第２の状態にあるときは、受け部材５４と床１０２の間隔が、標準タイヤ１０４のタイヤ幅に等しい間隔に設定される。
【００３４】
このように構成された予備タイヤ取付具１０の作用、効果について説明する。予備タイヤ取付具１０は、車両１００の後部の床１０２の下方に設けられている。予備タイヤ取付具１０は、第１の状態に設定され、非常用タイヤ１１０が取り付けられている。具体的には、予備タイヤ取付具１０は、支持体１６の下端に外枠体１２の前部が取り付けられ、外枠体１２の上面にタイヤ支持部１４が載り、外枠体１２の掛け部３２に鉤状部４２を掛け、固定具４０によりねじ部４４を締め付けて、非常用タイヤ１１０を図４に示すようにタイヤ支持部１４と床１０２との間で固定している。車両１００は、かかる状態で通常に走行を行う。
【００３５】
万一、標準タイヤ１０４がパンクしたとする。すると、まず、車両１００のバックドア１１２を開き、室内から固定具４０のねじ部４４のねじを緩める。ねじ部４４のねじを緩めて、鉤状部４２を降下させると、図７に示すように外枠体１２の後方が下げられる。そして、ある位置まで鉤状部４２を下げたなら、掛け部３２を鉤状部４２から外す。すると、予備タイヤ取付具１０の後方は、固定具４０による締結が解除されて大きく傾斜し、予備タイヤ取付具１０から非常用タイヤ１１０を取り出す。
【００３６】
又、車両１００から、パンクした標準タイヤ１０４を取り外し、標準タイヤ１０４が装着されていた箇所に非常用タイヤ１１０を取り付ける。タイヤ交換が行われたなら、腕部５８を回動させて、タイヤ支持部１４を腕部５８で垂下させた状態、すなわち予備タイヤ取付具１０を第２の状態に設定する。これにより予備タイヤ取付具１０は、図５に示すようにタイヤ支持部１４と床１０２との間隔が、外枠体１２を床１０２とほぼ平行に配置した状態で、標準タイヤ１０４のタイヤ幅にほぼ等しい状態に設定される。
【００３７】
そして、第２の状態に設定されたタイヤ支持部１４に、車両１００から取り外した標準タイヤ１０４を載せ、握り部３０で持ち上げながら、鉤状部４２を掛け部３２に掛ける。ねじ部４４のねじを締め込み、外枠体１２の後方を上昇させることにより、図６に示すようにタイヤ支持部１４と床１０２とがほぼ平行を保った状態で、標準タイヤ１０４を床１０２の下面とタイヤ支持部１４との間に挟み込ませ、固定させる。
【００３８】
以上説明したように、予備タイヤ取付具１０は、腕部５８を回動させてタイヤ支持部１４（受け部材５４）の位置を変更することにより、第１の状態と第２の状態、すなわち、非常用タイヤ１１０と標準タイヤ１０４のいずれのタイヤを取り付ける状態でも、容易に変更、設定することができる。
【００３９】
第１の状態は、前方可動アーム部材５０と後方可動アーム部材５２の一部が、取付部１８や外枠体１２の上面に載った状態であり、第２の状態は、腕部５８により受け部材５４が垂下された状態であるので、予備タイヤ取付具１０は簡易な構成で、第１の状態と第２の状態を確実に切り替えられる。又、予備タイヤ取付具１０に非常用タイヤ１１０を取り付けた状態では、腕部５８が上方に回動しないので、第１の状態を安定させて保持できる。
【００４０】
非常用タイヤ１１０は、どの車種においても基本的にほぼ共通な形であるので、予備タイヤ取付具１０は、非常用タイヤ１１０のタイヤ幅に対応した第１の状態を基本的に大きく変更する必要が生じない。一方、車両１００の標準タイヤ１０４が変更されたりして、第２の状態を変更させる必要が生じた場合には、腕部５８の長さを変更することにより容易に対応することができる。
【００４１】
固定具４０のねじ部４４のねじを緩めることにより、予備タイヤ取付具１０の後方を降下させることができ、予備タイヤ取付具１０からタイヤを容易に取り外したり、予備タイヤ取付具１０にタイヤを容易に載せることができる。
【００４２】
上述したように本実施の形態にかかる予備タイヤ取付具１０によれば、構造が簡易で、しかも標準タイヤ１０４と標準タイヤ１０４よりタイヤ幅の狭い非常用タイヤ１１０の双方の取り付けを簡単かつ確実に行うことができる。しかも、標準タイヤ１０４のタイヤ幅と標準タイヤ１０４よりタイヤ幅の狭い非常用タイヤ１１０のタイヤ幅の双方に合わせてタイヤ支持部１４（受け部材５４）の位置、すなわち予備タイヤ取付具１０の高さ方向での大きさ（幅）を切り替えることができるので、非常用タイヤ１１０を搭載しているときには、予備タイヤ取付具１０が車両後方から見え難くすることができる。
【００４３】
なお、上記例では、前方可動アーム部材５０と後方可動アーム部材５２を用いたが、本発明はこれに限るものではなく、腕部５８の上端と胴部５６とを回動自在に連結させ、腕部５８により連結機構を構成してもよい。又、第１の状態を、前方可動アーム部材５０と後方可動アーム部材５２が取付部１８や外枠体１２の上面に載った状態とし、第２の状態を、腕部５８の下死点で受け部材５４が保持された状態としたが、本発明はそれに限るものではなく、適宜ストッパを設けて、前方可動アーム部材５０や後方可動アーム部材５２、あるいは腕部５８を所定の位置で停止させるようにしてもよい。
【００４４】
更に、腕部５８の回動方向は、車両１００の前後方向に限らず、幅方向、あるいはその他の斜め方向でもよく、またタイヤ支持部１４の回動も前方を通って回動させるのでなく、逆方向から回動させるものでもよい。更に、腕部５８に代えて、チェーン等を用いてもよい。チェーン等を用いた場合は、第１の状態で、受け部材５４等が落下しないよう固定具等を用いて固定させる必要がある。この他、本発明の要旨を逸脱しない範囲で、種々変形実施可能であるのは勿論である。
【産業上の利用可能性】
【００４５】
本発明は、標準タイヤと標準タイヤよりタイヤ幅の狭い非常用タイヤのいずれのタイヤも取り付けることができる予備タイヤ取付具に利用可能である。
【符号の説明】
【００４６】
１０…予備タイヤ取付具、１２…外枠体、１４…タイヤ支持部、１６…支持体、１８…取付部、２２…前傾斜部、２４…平行部、２６…後傾斜部、２８…最後端部、３０…握り部、３４…案内部材、４０…固定具、４２…鉤状部、５０…前方可動アーム部材、５２…後方可動アーム部材、５４…受け部材、５６…胴部、５８…腕部、１００…車両、１０２…床、１０４…標準タイヤ、１０６…取付具、１１０…非常用タイヤ。
【図１】
2013035372.tif 000003
【図２】
2013035372.tif 000004
【図３】
2013035372.tif 000005
【図４】
2013035372.tif 000006
【図５】
2013035372.tif 000007
【図６】
2013035372.tif 000008
【図７】
2013035372.tif 000009